(57)【特許請求の範囲】
【請求項１】
筐体と、
前記筐体の内部に設けられ、紙葉を計数する紙葉計数部と、
前記筐体の外部に設けられ、前記紙葉が載置される紙葉載置部と、
前記紙葉載置部に載置される前記紙葉を一枚ずつ分離して前記紙葉計数部に搬送する紙葉分離搬送機構とを備え、
前記紙葉分離搬送機構は、
前記紙葉の下面に接触する下面接触部と、
前記紙葉の上面に接触し、前記下面接触部との間で前記紙葉を挟み込むとともに前記紙葉を一枚ずつ分離する紙葉分離部材とを有し、
前記紙葉分離部材は、前記筐体の内部に設けられ、
前記筐体には、部材着脱開口が設けられ、
前記紙葉分離部材は、前記部材着脱開口を介して前記筐体の外部に露出するとともに前記部材着脱開口を介して着脱可能である紙葉計数機。
【請求項２】
前記紙葉分離搬送機構は、一対の下側ローラを備え、
前記下面接触部は、前記一対の下側ローラに設けられ、
前記紙葉分離部材は、前記一対の下側ローラが配置される方向に対して垂直な方向に、直線的に移動して着脱可能である請求項１に記載の紙葉計数機。
【発明の詳細な説明】
【技術分野】
【０００１】
この発明は、紙葉計数機に関する。
【背景技術】
【０００２】
紙幣、投票用紙、郵便葉書等の複数枚の紙葉が積載された状態にある場合、これらの紙葉類を正確に計数する場合には、特許文献１に示すような紙葉計数機が用いられる。特許文献１の紙葉計数機の搬入側には複数枚の紙葉の束が積載される。そして、紙葉の搬入口近傍に配置されるベルトが、各々の紙葉の下面に接触しながら動くことによって、紙葉を順次、紙葉計数機の箱体の内部に搬送する。さらに、ベルトの上部に設けられる紙葉分離部材としてのローラが、搬送される紙葉を一枚ずつ上から押さえつけるように配置されているため、紙葉がローラの手前で一枚ずつ分離され、二枚以上重なって搬送される重送が防止される。
【先行技術文献】
【特許文献】
【０００３】
【特許文献１】特開平８−３０５８１７号公報
【発明の概要】
【発明が解決しようとする課題】
【０００４】
ここで、特許文献１の紙葉計数機において、紙葉を確実に一枚ずつ分離して搬送するためには、搬送される紙葉と接触して上から押さえつけるローラを定期的に交換する必要がある。摩耗したローラを使い続けると、紙葉が分離されずに複数枚が重なったまま搬送されてしまい、正確に紙葉を計数することができないおそれがあるからである。しかしながら、特許文献１の紙葉計数機では、ローラは箱体の内部側に配置されているため、工具等を使わずに簡単に取り外すことができず、メンテナンス時の交換に手間がかかるという問題があった。
【０００５】
この発明は、このような問題を解決するためになされ、搬送される紙葉に上面から接触する紙葉分離部材を簡単に着脱して交換することができ、メンテナンスの手間を低減することができる紙葉計数機を提供することを目的とする。
【課題を解決するための手段】
【０００６】
上記の課題を解決するために、この発明に係る紙葉計数機は、筐体と、筐体の内部に設けられ、紙葉を計数する紙葉計数部と、筐体の外部に設けられ、紙葉が載置される紙葉載置部と、紙葉載置部に載置される紙葉を一枚ずつ分離して紙葉計数部に搬送する紙葉分離搬送機構とを備え、紙葉分離搬送機構は、紙葉の下面に接触する下面接触部と、紙葉の上面に接触し、下面接触部との間で紙葉を挟み込むとともに紙葉を一枚ずつ分離する紙葉分離部材とを有し、紙葉分離部材は、筐体の内部に設けられ、筐体には、部材着脱開口が設けられ、紙葉分離部材は、部材着脱開口を介して筐体の外部に露出するとともに部材着脱開口を介して着脱可能である。
【０００７】
また、紙葉分離搬送機構は、一対の下側ローラを備え、下面接触部は、一対の下側ローラに設けられ、紙葉分離部材は、一対の下側ローラが配置される方向に対して垂直な方向に、直線的に移動して着脱可能であってもよい。
【発明の効果】
【０００８】
この発明に係る紙葉計数機によれば、搬送される紙葉に上面から接触する紙葉分離部材を簡単に着脱して交換することができ、メンテナンスの手間を低減することができる。
【図面の簡単な説明】
【０００９】
【図１】この発明の実施の形態に係る紙葉計数機の正面図である。
【図２】図１に示す紙葉計数機の左側面図である。
【図３】図１に示す紙葉計数機の右側面図である。
【図４】図１に示す紙葉計数機の背面図である。
【図５】図１に示す紙葉計数機の上面図である。
【図６】図１に示す紙葉計数機の底面図である。
【図７】図１に示す紙葉計数機を、図３に示す矢印Ａの方向に沿って見た様子を示す矢視図である。
【図８】図７に示す紙葉計数機の紙葉分離搬送機構近傍の部分を拡大した図である。
【図９】図１に示す紙葉計数機を切断線ＩＸ−ＩＸで切断した様子を示す断面側面図である。
【発明を実施するための形態】
【００１０】
以下、この発明の実施の形態について添付図面に基づいて説明する。
まず、紙葉計数機１の全体的な外観形状を図１〜７を用いて説明する。なお、以下の説明において、利用者が紙葉計数機１を操作する側を正面側Ｆとし、正面側Ｆの反対側を背面側Ｂとする。さらに、正面側Ｆから見て左右に延びる方向を幅方向Ｗとする。
また、図１に示すように、正面側Ｆから見て紙葉計数機１の中央部分を上下に延長する仮想線を対称線Ｓとする。紙葉計数機１は、対称線Ｓを中心にして略左右対称となるような構造となっている。
【００１１】
紙葉計数機１は、筐体１０を有する。筐体１０の上部には、図２及び３に示すように、正面側Ｆに突出する紙葉載置突出部１０ａが形成される。そして、紙葉載置突出部１０ａの上面には、計数される紙葉が重ねて載置されるための平面部である紙葉載置部１７が設けられる。すなわち、紙葉載置部１７は筐体１０の外部側に設けられている。また、図５に示すように、紙葉載置部１７には、対称線Ｓを挟んで略左右対称に配置される一対の紙葉送りローラ５が設けられる。また、紙葉載置部１７の背面側Ｂの端部２２に沿って、一対の紙葉位置規制板１１が設けられている。紙葉位置規制板１１は、各々、断面が略Ｌ字形状の板材であり、Ｌ字形状の一辺が互いに内側に向かって向き合うように、対称線Ｓを中心に略左右対称に配置されている。また、一対の紙葉位置規制板１１は、図２及び３に示すように、背面側Ｂに向かって傾斜するように設けられる。さらに、一対の紙葉位置規制板１１は幅方向Ｗにスライド可能であり、対称線Ｓを挟んで常に互いに略左右対称に配置されるように移動することができる。またさらに、紙葉載置突出部１０ａにおいて、紙葉載置部１７よりも正面側Ｆには傾斜面が形成され、操作部１９を構成している。正面側Ｆから見て、操作部１９の左側には情報表示部１３が設けられ、右側には操作ボタン配置部１４が設けられる。
【００１２】
また、筐体１０はさらに、紙葉載置部１７の背面側Ｂに隣接して、筐体１０を上側から覆うカバー１０ｃを有している。カバー１０ｃの正面側Ｆの端部１２と紙葉載置部１７の背面側Ｂの端部２２との間には、図５に示すように、カバー１０ｃの幅方向Ｗに亘って延びる細長い紙葉取入口１８が形成されている。また、カバー１０ｃの中央部分には、紙葉取入口１８の上側に隣接して、後述する部材着脱開口１６が形成されている。また、紙葉取入口１８の上部には、部材着脱開口１６の両側に亘って、紙葉位置規制板１１の位置を確認するための紙葉位置確認用数字表記３１が表示されている。
【００１３】
筐体１０の下部には、計数し終わった紙葉が貯留されるための紙葉貯留部２５が設けられる。紙葉貯留部２５の正面側Ｆの端部には、対称線Ｓを挟んで略左右対称に一対の紙葉支持部２５ａが上方に向かって突出して設けられている。そして、紙葉載置突出部１０ａと紙葉貯留部２５との間には紙葉貯留空間１０ｂが設けられる。
また、図６に示すように、筐体１０の紙葉貯留部２５の底面側の四隅には、４本の脚部８が取り付けられている。
さらに、筐体１０の背面側Ｂには、図４に示すように、電源スイッチ２とコンセント接続部３が上下に並んで設けられている。
【００１４】
次に、カバー１０ｃに形成される部材着脱開口１６の詳細な形状と、部材着脱開口１６近傍の構造について、図７及び８を用いて説明する。
部材着脱開口１６は、カバー１０ｃの正面側Ｆの端部１２の中央部分の一部が切り取られて形成されたような形状をなしている。具体的には、部材着脱開口１６は、対称線Ｓに中心を合わせて配置された第一長方形１６ａの左右に、カバー１０ｃの端部１２の延長線上の辺を底辺として第一長方形１６ａよりも高さが低い一対の第二長方形１６ｂが接続された形状をなす。すなわち、部材着脱開口１６は、中央部分が背面側Ｂに向かって突出した形状となっている。また、紙葉載置部１７の背面側Ｂの端部２２にも、部材着脱開口１６に対向する位置に、細長い長方形状に切り取られた切欠開口４８が形成されている。
【００１５】
図８に示すように、部材着脱開口１６の中央部分の第一長方形１６ａの部分からは、カバー１０ｃの内部側に設けられている一対の上側ローラ４３が、カバー１０ｃの外部側に露出している。なお、一対の上側ローラ４３は、対称線Ｓを挟んで略左右対称に配置されている。また、部材着脱開口１６の一対の第二長方形１６ｂの部分からは、カバー１０ｃの内部側に設けられている一対の紙葉分離部材４１が、カバー１０ｃの外部側に露出している。なお、一対の紙葉分離部材４１は一対の上側ローラ４３の軸方向外側に各々配置されている。さらに、一対の紙葉分離部材４１及び一対の上側ローラ４３の下側には、一対の下側ローラ４４が設けられている。下側ローラ４４は筐体１０の内部側に配置されているが、下側ローラ４４の一部分は、紙葉載置部１７の切欠開口４８を介して、筐体１０の外部に露出している。そして、紙葉分離部材４１及び上側ローラ４３と下側ローラ４４との間には、一枚の紙葉の厚さ分の間隔がある。
ここで、下側ローラ４４は下面接触部を構成する。
【００１６】
次に、図９を参照して、紙葉計数機１の内部構造について説明する。
カバー１０ｃの内部側には、前述のように、紙葉取入口１８に隣接して一対の紙葉分離部材４１、一対の上側ローラ４３及び一対の下側ローラ４４が設けられている。また、カバー１０ｃの内部側には分離部材取付部４２が設けられ、紙葉分離部材４１は、分離部材取付部４２に対して、矢印Ｘの方向に着脱可能となるように取り付けられている。また、図８に示す上側ローラ４３も部材着脱開口１６を介して着脱可能となっている。さらにカバー１０ｃの内部側には、図８及び９に破線で示すように、上側ローラ４３及び下側ローラ４４に隣接して、紙葉取込ローラ４９が設けられる。またさらに、下側ローラ４４及び紙葉取込ローラ４９の背面側Ｂには、下側ローラ４４及び紙葉取込ローラ４９に隣接して、正面側Ｆに向かって下方に傾斜する案内板４５が設けられる。そして、その案内板４５に隣接して、一対の紙葉搬送ローラ４６が設けられている。一対の紙葉搬送ローラ４６は、案内板４５の上を流通する紙葉を間に挟み込むことができるような位置に配置されている。また、紙葉搬送ローラ４６の上流側には紙葉計数センサ４７が取り付けられている。ここで、案内板４５上において、紙葉計数センサ４７の設けられる位置に対応する箇所を、紙葉を計数するための紙葉計数部５０とする。さらに案内板４５の下方の端部に隣接して、複数枚の羽根１５ａを有する羽根車１５が設けられる。羽根車１５の一部は、図１及び７にも示すように、紙葉貯留空間１０ｂ側に露出している。
なお、紙葉分離部材４１、下側ローラ４４及び紙葉取込ローラ４９は、紙葉分離搬送機構を構成する。
【００１７】
次に、紙葉計数機１によって計数される紙葉の流れについて図９を用いて説明する。
まず、筐体１０の紙葉載置突出部１０ａの紙葉載置部１７には、紙葉の束Ｐが載置される。利用者は、紙葉の大きさに合わせて紙葉位置規制板１１をスライドさせ、カバー１０ｃの紙葉位置確認用数字表記３１を見て紙葉位置規制板１１の位置を適宜確認しながら、紙葉の束Ｐの載置位置を調整する。
【００１８】
次に、利用者が電源スイッチ２をＯＮにして、操作部１９の操作ボタン配置部１４の計数スタートボタンを押すと、紙葉載置部１７の紙葉送りローラ５、下側ローラ４４及び紙葉取込ローラ４９が同時に回転駆動される。紙葉送りローラ５の回転に伴い、紙葉の束Ｐの最下部から、順次、紙葉が紙葉取入口１８に送り込まれる。そして、紙葉は、紙葉取入口１８を通過し、カバー１０ｃの内部側の紙葉分離部材４１と下側ローラ４４との間に挟まれて一枚ずつ分離される。さらに次に、紙葉は、下側ローラ４４と紙葉取込ローラ４９との間に挟まれて、下側ローラ４４及び紙葉取込ローラ４９の回転により、筐体１０の内部に向かって順次搬送される。なお、上側ローラ４３は、下側ローラ４４及び紙葉取込ローラ４９によって搬送される紙葉を補助的に上から押さえている。ここで、紙葉取入口１８から筐体１０の内部へ搬送される紙葉の上面には紙葉分離部材４１、上側ローラ４３及び紙葉取込ローラ４９が、下面には下側ローラ４４が、それぞれ接触する。そして、各々の紙葉は案内板４５に案内されて矢印Ｙに示すように搬送され、紙葉計数部５０を通過する際に紙葉計数センサ４７によって計数される。すなわち、紙葉分離部材４１、下側ローラ４４及び紙葉取込ローラ４９からなる紙葉分離搬送機構によって、紙葉は一枚ずつ、筐体１０の内部の紙葉計数部５０に搬送され、紙葉計数部５０において計数される。
【００１９】
そして、各々の紙葉は、一対の紙葉搬送ローラ４６の間を通過するとともに、紙葉搬送ローラ４６の回転によって羽根車１５に送られ、各々の羽根１５ａの間に挟み込まれるように受け取られる。さらに、各々の紙葉は羽根車１５の回転とともに紙葉貯留空間１０ｂに送り出され、紙葉貯留部２５に載置され、積み重ねられる。なお、紙葉計数センサ４７によって計数された紙葉の数は操作部１９の情報表示部１３に表示される。
【００２０】
以上より、この実施の形態に係る紙葉計数機１では、部材着脱開口１６を介して、筐体１０の内部に設けられる紙葉分離部材４１が筐体１０の外部に露出しているため、工具等を用いてカバー１０ｃを取り外さずに、紙葉分離部材４１を簡単に着脱することができる。従って、紙葉計数機１のメンテナンスの際、摩耗した紙葉分離部材４１を交換するための手間と時間が大幅に低減される。これによって、紙葉計数機１を長期間使用した場合であっても、紙葉分離部材４１を定期的に交換しやすく、紙葉を分離する機能が効率的に維持されて、紙葉の重送がより確実に防止される。
【００２１】
なお、部材着脱開口１６は、紙葉分離部材４１が着脱可能であれば、この実施の形態の形状に限定されず、長方形状やその他の形状であってもよい。
【符号の説明】
【００２２】
１  紙葉計数機、１０  筐体、１６  部材着脱開口、１７  紙葉載置部、４１  紙葉分離部材（紙葉分離搬送機構）、４４  下側ローラ（下面接触部、紙葉分離搬送機構）、４９  紙葉取込ローラ（紙葉分離搬送機構）、５０  紙葉計数部。
【図１】
0006644556.tif 000002
【図２】
0006644556.tif 000003
【図３】
0006644556.tif 000004
【図４】
0006644556.tif 000005
【図５】
0006644556.tif 000006
【図６】
0006644556.tif 000007
【図７】
0006644556.tif 000008
【図８】
0006644556.tif 000009
【図９】
0006644556.tif 000010